(57)【特許請求の範囲】
【請求項１】
独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記記憶手段は、発光装置の発光面内の輝度のばらつきが所定の許容レベルとなるように予め光源毎に決められた発光制御値を初期制御値として記憶しており、
前記制御手段は、前記光源の故障が検知された場合、当該故障した光源以外の光源の発光制御値を前記初期制御値とする発光装置。
【請求項２】
独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記記憶手段は、前記制御手段により決定された前記光源の発光制御値を記憶しており、
前記制御手段は、前記光源の故障が検知された場合、当該故障した光源以外の光源の発光制御値を当該故障が検知される前に前記制御手段により決定された発光制御値とする発光装置。
【請求項３】
独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記記憶手段は、発光装置の発光面内の輝度のばらつきが所定の許容レベルとなるように予め光源毎に決められた発光制御値を初期制御値として記憶しており、
前記制御手段は、前記輝度センサの故障が検知された場合、すべての光源の発光制御値を前記初期制御値とする発光装置。
【請求項４】
独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記記憶手段は、前記制御手段により決定された前記光源の発光制御値を記憶しており、
前記制御手段は、前記輝度センサの故障が検知された場合、すべての光源の発光制御値を当該故障が検知される前に前記制御手段により決定された発光制御値とする発光装置。
【請求項５】
独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記光源は、独立に発光を制御可能な複数の色の光源により構成される白色光源であり、
前記記憶手段は、発光装置の発光面内の輝度のばらつきが所定の許容レベルとなるように予め光源毎に定められた発光制御値を初期制御値として記憶しており、
前記検知手段は、前記白色光源を構成する光源の故障を検知可能であり、
前記制御手段は、前記白色光源を構成する光源のうち少なくとも１つの光源の故障が検知された場合、当該故障した光源及び当該故障した光源を含む白色光源を構成する当該故障した光源以外のすべての光源の発光制御値をゼロとし、それ以外の白色光源を構成する光源の発光制御値を前記初期制御値とする発光装置。
【請求項６】
独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記光源は、独立に発光を制御可能な複数の色の光源により構成される白色光源であり、
前記記憶手段は、前記制御手段により決定された前記光源の発光制御値を記憶しており、
前記検知手段は、前記白色光源を構成する光源の故障を検知可能であり、
前記制御手段は、前記白色光源を構成する光源のうち少なくとも１つの光源の故障が検知された場合、当該故障した光源とともに白色光源を構成する光源すべての発光制御値をゼロとし、それ以外の白色光源を構成する光源の発光制御値を当該故障が検知される前に前記制御手段により決定された発光制御値とする発光装置。
【請求項７】
前記各光源の周囲の温度を検出する温度センサを備え、
前記検知手段は、前記温度センサの故障を検知可能であり、
前記記憶手段は、光源の周囲の温度と光源の発光特性との関係を記憶しており、
前記制御手段は、前記温度センサにより検出される前記光源の周囲の温度に基づいて前記輝度センサによる前記光源の輝度の検出値を補正し、補正後の前記検出値と、前記目標値と、の差を小さくするように前記光源の発光制御値を決定するものであって、
前記制御手段は、
前記光源の故障が検知された場合、前記補正後の検出値と前記目標値との差にかかわらず当該故障した光源以外の光源の発光制御値を所定の値とし、
前記輝度センサ及び前記温度センサの少なくともいずれかの故障が検知された場合、前記補正後の検出値と前記目標値との差にかかわらずすべての光源の発光制御値を所定の値とする
ことを特徴とする請求項１〜６のいずれか１項に記載の発光装置。
【請求項８】
前記検知手段は、前記温度センサのセンサ値が所定の範囲内でない場合、前記温度センサが故障していると判断する
ことを特徴とする請求項７に記載の発光装置。
【請求項９】
前記検知手段は、前記輝度センサのセンサ値が所定の範囲内でない場合、前記輝度センサが故障していると判断する
ことを特徴とする請求項１〜８のいずれか１項に記載の発光装置。
【請求項１０】
前記検知手段は、前記光源に流れる電流値が第１閾値を超えた場合、前記光源が故障していると判断する
ことを特徴とする請求項１〜９のいずれか１項に記載の発光装置。
【請求項１１】
前記検知手段は、前記光源に流れる電流値が第２閾値より小さい場合、前記光源が故障していると判断する
ことを特徴とする請求項１〜１０のいずれか１項に記載の発光装置。
【請求項１２】
前記光源は、赤色ＬＥＤ、緑色ＬＥＤおよび青色ＬＥＤから構成される
ことを特徴とする請求項１〜１１のいずれか１項に記載の発光装置。
【請求項１３】
前記発光装置は、液晶表示装置のバックライトである
ことを特徴とする請求項１〜１２のいずれか１項に記載の発光装置。
【請求項１４】
独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記記憶工程では、発光装置の発光面内の輝度のばらつきが所定の許容レベルとなるように予め光源毎に決められた発光制御値が初期制御値として記憶され、
前記制御工程では、前記光源の故障が検知された場合、当該故障した光源以外の光源の発光制御値が前記初期制御値とされる発光装置の制御方法。
【請求項１５】
独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記記憶工程では、前記制御工程において決定された前記光源の発光制御値が記憶され、
前記制御工程では、前記光源の故障が検知された場合、当該故障した光源以外の光源の発光制御値が、当該故障が検知される前に前記制御工程において決定された発光制御値とされる発光装置の制御方法。
【請求項１６】
独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記記憶工程では、発光装置の発光面内の輝度のばらつきが所定の許容レベルとなるように予め光源毎に決められた発光制御値が初期制御値として記憶され、
前記制御工程は、前記輝度センサの故障が検知された場合、すべての光源の発光制御値が前記初期制御値とされる発光装置の制御方法。
【請求項１７】
独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記記憶工程では、前記制御工程において決定された前記光源の発光制御値が記憶され、
前記制御工程では、前記輝度センサの故障が検知された場合、すべての光源の発光制御値が、当該故障が検知される前に前記制御工程において決定された発光制御値とされる発光装置の制御方法。
【請求項１８】
独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記光源は、独立に発光を制御可能な複数の色の光源により構成される白色光源であり、
前記記憶工程では、発光装置の発光面内の輝度のばらつきが所定の許容レベルとなるように予め光源毎に定められた発光制御値が初期制御値として記憶され、
前記検知工程では、前記白色光源を構成する光源の故障を検知可能であり、
前記制御工程では、前記白色光源を構成する光源のうち少なくとも１つの光源の故障が検知された場合、当該故障した光源及び当該故障した光源を含む白色光源を構成する当該故障した光源以外のすべての光源の発光制御値がゼロとされ、それ以外の白色光源を構成する光源の発光制御値が前記初期制御値とされる発光装置の制御方法。
【請求項１９】
独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記光源は、独立に発光を制御可能な複数の色の光源により構成される白色光源であり、
前記記憶工程では、前記制御手段により決定された前記光源の発光制御値が記憶され、
前記検知工程では、前記白色光源を構成する光源の故障を検知可能であり、
前記制御工程では、前記白色光源を構成する光源のうち少なくとも１つの光源の故障が検知された場合、当該故障した光源とともに白色光源を構成する光源すべての発光制御値がゼロとされ、それ以外の白色光源を構成する光源の発光制御値は当該故障が検知される前に前記制御工程において決定された発光制御値とされる発光装置の制御方法。
【発明の詳細な説明】
【技術分野】
【０００１】
本発明は発光装置及びその制御方法に関するものである。
【背景技術】
【０００２】
液晶パネルを用いた表示装置に対する輝度、色再現性能への市場要求が高度化、多様化している。液晶表示装置のバックライト用の光源として、冷陰極蛍光管と比較し発光効率に優れる発光ダイオード（ＬＥＤ：Ｌｉｇｈｔ  Ｅｍｉｔｔｉｎｇ  Ｄｉｏｄｅ）も多く使用されるようになった。
【０００３】
ＬＥＤは製造時の個体差、使用環境温度の変化、使用過程での経時変化等により、その発光特性が変化する場合がある。液晶表示装置のバックライトの光源としてＬＥＤを使用した場合、装置内の温度分布により、例えば画面の上側と下側でＬＥＤの輝度に差が生じることがある。このような画面内でのバックライト輝度のばらつきを低減する為のバックライト制御技術が特許文献１に開示されている。特許文献１に記載の技術では、ＬＥＤの近傍に輝度センサや温度センサを配置し、それらセンサによる輝度の検出値（輝度センサ値）や温度の検出値（温度センサ値）に基づき、ＬＥＤの発光量を調整する。
【先行技術文献】
【特許文献】
【０００４】
【特許文献１】特開２００６−０３１９７７号公報
【発明の概要】
【発明が解決しようとする課題】
【０００５】
輝度センサや温度センサ（以下、ＢＬセンサと総称することがある）やＬＥＤは経年劣化やその他要因により故障する場合がある。
【０００６】
ＢＬセンサを用いたバックライトのＬＥＤ発光量制御によれば、一部のＬＥＤが故障し点灯しなくなると、その周辺のＬＥＤで故障したＬＥＤの発光量を補完すべく、周辺のＬＥＤの発光量を増加させるよう制御が働く。またＢＬセンサが故障し、正常なセンサ値が取得できなくなると、ＬＥＤの発光量を不必要に増加させるよう制御が働く場合があり得る。バックライトが過熱保護機能や過電流保護機能を有する場合、ＬＥＤを高い発光量で継続的に点灯させると、過熱保護や過電流保護のためにバックライトを消灯させる制御が働くことがあり得る。
【０００７】
温度保護や過電流保護機能によるバックライト消灯により、突如、液晶表示装置が使用できなくなると、装置使用者の作業が継続して行なえなくなる。例えば、液晶表示装置をＰＣ（パーソナルコンピュータ）と接続して使用していた場合、編集作業中のドキュメントの保存処理やＰＣのシャットダウン処理を適切に行なえないという問題がある。
【０００８】
本発明は、輝度センサ及び複数の光源を有し輝度センサによる検出値に基づき各光源の発光を制御する発光装置において、一部の光源又は輝度センサが故障した場合でもある程度の期間継続使用できるようにすることを目的とする。
【課題を解決するための手段】
【０００９】
本発明の第１の態様は、独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記記憶手段は、発光装置の発光面内の輝度のばらつきが所定の許容レベルとなるように予め光源毎に決められた発光制御値を初期制御値として記憶しており、
前記制御手段は、前記光源の故障が検知された場合、当該故障した光源以外の光源の発光制御値を前記初期制御値とする発光装置である。
本発明の第２の態様は、独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記記憶手段は、前記制御手段により決定された前記光源の発光制御値を記憶しており、
前記制御手段は、前記光源の故障が検知された場合、当該故障した光源以外の光源の発光制御値を当該故障が検知される前に前記制御手段により決定された発光制御値とする発光装置である。
本発明の第３の態様は、独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記記憶手段は、発光装置の発光面内の輝度のばらつきが所定の許容レベルとなるように予め光源毎に決められた発光制御値を初期制御値として記憶しており、
前記制御手段は、前記輝度センサの故障が検知された場合、すべての光源の発光制御値を前記初期制御値とする発光装置である。
本発明の第４の態様は、独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記記憶手段は、前記制御手段により決定された前記光源の発光制御値を記憶しており、
前記制御手段は、前記輝度センサの故障が検知された場合、すべての光源の発光制御値を当該故障が検知される前に前記制御手段により決定された発光制御値とする発光装置である。
本発明の第５の態様は、独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記光源は、独立に発光を制御可能な複数の色の光源により構成される白色光源であり、
前記記憶手段は、発光装置の発光面内の輝度のばらつきが所定の許容レベルとなるように予め光源毎に定められた発光制御値を初期制御値として記憶しており、
前記検知手段は、前記白色光源を構成する光源の故障を検知可能であり、
前記制御手段は、前記白色光源を構成する光源のうち少なくとも１つの光源の故障が検
知された場合、当該故障した光源及び当該故障した光源を含む白色光源を構成する当該故障した光源以外のすべての光源の発光制御値をゼロとし、それ以外の白色光源を構成する光源の発光制御値を前記初期制御値とする発光装置である。
本発明の第６の態様は、独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記光源は、独立に発光を制御可能な複数の色の光源により構成される白色光源であり、
前記記憶手段は、前記制御手段により決定された前記光源の発光制御値を記憶しており、
前記検知手段は、前記白色光源を構成する光源の故障を検知可能であり、
前記制御手段は、前記白色光源を構成する光源のうち少なくとも１つの光源の故障が検知された場合、当該故障した光源とともに白色光源を構成する光源すべての発光制御値をゼロとし、それ以外の白色光源を構成する光源の発光制御値を当該故障が検知される前に前記制御手段により決定された発光制御値とする発光装置である。
【００１０】
本発明の第７の態様は、
独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記記憶工程では、発光装置の発光面内の輝度のばらつきが所定の許容レベルとなるように予め光源毎に決められた発光制御値が初期制御値として記憶され、
前記制御工程では、前記光源の故障が検知された場合、当該故障した光源以外の光源の発光制御値が前記初期制御値とされる発光装置の制御方法である。
本発明の第８の態様は、独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記記憶工程では、前記制御工程において決定された前記光源の発光制御値が記憶され、
前記制御工程では、前記光源の故障が検知された場合、当該故障した光源以外の光源の発光制御値が、当該故障が検知される前に前記制御工程において決定された発光制御値とされる発光装置の制御方法である。
本発明の第９の態様は、独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記記憶工程では、発光装置の発光面内の輝度のばらつきが所定の許容レベルとなるように予め光源毎に決められた発光制御値が初期制御値として記憶され、
前記制御工程は、前記輝度センサの故障が検知された場合、すべての光源の発光制御値が前記初期制御値とされる発光装置の制御方法である。
本発明の第１０の態様は、独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記記憶工程では、前記制御工程において決定された前記光源の発光制御値が記憶され、
前記制御工程では、前記輝度センサの故障が検知された場合、すべての光源の発光制御値が、当該故障が検知される前に前記制御工程において決定された発光制御値とされる発光装置の制御方法である。
本発明の第１１の態様は、独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記光源は、独立に発光を制御可能な複数の色の光源により構成される白色光源であり、
前記記憶工程では、発光装置の発光面内の輝度のばらつきが所定の許容レベルとなるように予め光源毎に定められた発光制御値が初期制御値として記憶され、
前記検知工程では、前記白色光源を構成する光源の故障を検知可能であり、
前記制御工程では、前記白色光源を構成する光源のうち少なくとも１つの光源の故障が検知された場合、当該故障した光源及び当該故障した光源を含む白色光源を構成する当該故障した光源以外のすべての光源の発光制御値がゼロとされ、それ以外の白色光源を構成する光源の発光制御値が前記初期制御値とされる発光装置の制御方法である。
本発明の第１２の態様は、独立に発光を制御可能な複数の光源を有する発光装置の制御方法であって、
前記光源の輝度を輝度センサにより検出する工程と、
前記光源及び前記輝度センサの少なくともいずれかの故障を検知する検知工程と、
前記輝度センサによる前記光源の輝度の検出値の目標値を記憶する記憶工程と、
前記輝度センサによる前記光源の輝度の検出値と、前記記憶工程において記憶される前記輝度センサによる前記光源の輝度の検出値の目標値と、の差を小さくするように前記光源の発光制御値を決定する制御工程と、
を有し、
前記光源は、独立に発光を制御可能な複数の色の光源により構成される白色光源であり、
前記記憶工程では、前記制御手段により決定された前記光源の発光制御値が記憶され、
前記検知工程では、前記白色光源を構成する光源の故障を検知可能であり、
前記制御工程では、前記白色光源を構成する光源のうち少なくとも１つの光源の故障が検知された場合、当該故障した光源とともに白色光源を構成する光源すべての発光制御値がゼロとされ、それ以外の白色光源を構成する光源の発光制御値は当該故障が検知される前に前記制御工程において決定された発光制御値とされる発光装置の制御方法である。
【発明の効果】
【００１１】
本発明によれば、輝度センサ及び複数の光源を有し輝度センサによる検出値に基づき各
光源の発光を制御する発光装置において、一部の光源又は輝度センサが故障した場合でもある程度の期間継続使用できるようになる。
【図面の簡単な説明】
【００１２】
【図１】実施例に係る液晶表示装置の主要な構成を示すブロック図。
【図２】実施例に係るバックライト内のＬＥＤ、ＢＬセンサの配置例
【図３】実施例に係る基準ＰＷＭ制御データ及び目標輝度センサ値データの一例
【図４】実施例に係るバックライト制御部の動作フローの一例
【図５】実施例に係るバックライト制御部の動作フローの一例
【図６】実施例に係る輝度センサ及び温度センサの故障判定動作フロー例
【図７】実施例に係るＬＥＤの故障判定動作フロー例
【図８】実施例に係るバックライト制御部の動作フローの一例
【図９】実施例３に係るＰＷＭ制御値の決定の一例
【発明を実施するための形態】
【００１３】
以下に本発明の実施例について図を用いて説明する。
（実施例１）
実施例１は、光源として白色ＬＥＤを用い、白色ＬＥＤの輝度を検出する輝度センサ及び白色ＬＥＤ周囲の温度を検出する温度センサ（以下、ＢＬセンサと総称することがある）を備えたバックライト装置に本発明を適用した例である。
図１は本発明の実施例１に係るバックライト装置を有する液晶表示装置の主要な構成を示すブロック図である。
【００１４】
図１の液晶表示装置１０１は、画像入力部１０２、入力制御部１０３、画像処理部１０４、液晶駆動部１０５、液晶パネル１０６、データ送受信部１０７、データ送受信制御部１０８、不揮発メモリ部１０９、メモリ部１１０、タイマー部１１１、システム制御部１
１２、電源ボタン１１３、バックライト制御部１１４、バックライト１１５から構成している。またバックライト制御部１１４はセンサ制御部１１６、発光量決定部１１７、発光量制御部１１８から構成している。バックライト１１５内部の構成については後述する。
以下、各ブロックが有する機能について説明する。
【００１５】
（液晶表示装置１０１の基本的な画像表示機能について）
システム制御部１１２は電源ボタン１１３押下による電源オン要求を検出すると、液晶表示装置１０１内の各ブロックに通電を開始する。
入力制御部１０３は画像入力部１０２から入力される画像信号を画像処理部１０４に伝送する。
画像処理部１０４は入力される画像信号を、液晶パネル１０６の表示解像度（画素数）及び表示色数に適した表示データに変換し、液晶パネル１０６のリフレッシュレートに適したタイミングで液晶駆動部１０５に伝送する。
【００１６】
液晶駆動部１０５は画像処理部１０４から受信したデータを液晶パネル１０６の制御信号に変換し、液晶パネル１０６へ出力する。
液晶パネル１０６は、液晶駆動部１０５から入力される制御信号により駆動されることにより、画像信号に基づく画像を表示する。
またシステム制御部１１２はバックライト制御部１１４に対するバックライト点灯制御開始要求を行い、バックライト１１５を点灯させる。バックライト制御部１１４の動作については後述する。
【００１７】
（バックライトについて）
バックライト１１５は液晶パネル１０６の背面に設けられ、液晶パネル１０６に背面から光を照射する。バックライト１１５は、光源として独立に発光を制御可能な複数の白色ＬＥＤを備えている。
【００１８】
図２にバックライト１１５内部に設けられるＬＥＤ及びＢＬセンサの配置例を示す。本実施例では、図２に示すように、バックライト１１５には、３個のＬＥＤ（１）２０１、ＬＥＤ（２）２０２、及びＬＥＤ（３）２０３が設けられる。また、各ＬＥＤの輝度を検出する輝度センサ（１）２０４、輝度センサ（２）２０５、及び輝度センサ（３）２０６が設けられる。また、各ＬＥＤの周囲の温度を検出する温度センサ（１）２０７、温度センサ（２）２０８、及び温度センサ（３）２０９が配置されている。本実施例ではバックライト１１５がＬＥＤ及びＢＬセンサを３個ずつ有する場合を例に説明を行なうが、ＬＥＤとＢＬセンサの数はこの数に限らない。例えば、それぞれ５００個ずつ有する構成でもよいし、それぞれ１０００個ずつ有する構成でもよい。
【００１９】
ＬＥＤ（１）２０１、ＬＥＤ（２）２０２、ＬＥＤ（３）２０３は、それぞれ発光量制御部１１８により発光が制御される。発光量制御部１１８は、各ＬＥＤに流す電流量を、発光量決定部１１７から入力される発光データに基づき決定する。発光量制御部１１８は、入力される発光データに基づき、ＰＷＭ（Ｐｕｌｓｅ  Ｗｉｄｔｈ  Ｍｏｄｕｌａｔｉｏｎ）制御により各ＬＥＤの発光を制御する。本実施例では、発光量決定部１１７から入力される発光制御値（以降、ＰＷＭ制御値）は０〜４０９５の値であり、発光量制御部１１８は、ＬＥＤの発光量を４０９６レベルで制御可能なＰＷＭ制御を行うものとする。例えばＰＷＭ制御値が０の場合、電流量は０となりＬＥＤは発光しない。ＰＷＭ制御値が４０９５の場合、電流量は最大となりＬＥＤは最大輝度で発光する。
【００２０】
輝度センサ（１）２０４と温度センサ（１）２０７は、ＬＥＤ（１）２０１の近傍に配置され、各々ＬＥＤ（１）２０１近傍の輝度、温度を検出する。輝度センサ（２）２０５と温度センサ（２）２０８は、ＬＥＤ（２）２０２の近傍に配置され、各々ＬＥＤ（２）
２０２近傍の輝度、温度を検出する。輝度センサ（３）２０６と温度センサ（３）２０９は、ＬＥＤ（３）２０３の近傍に配置され、各々ＬＥＤ（３）２０３近傍の輝度、温度を検出する。輝度センサ及び温度センサには１２ビット精度のＡＤ変換器が内蔵されている。各輝度センサは検出した輝度を０〜４０９５の輝度センサ値としてセンサ制御部１１６へ出力し、各温度センサは検出した温度を０〜４０９５の温度センサ値としてセンサ制御部１１６へ出力する。
【００２１】
（バックライト制御部１１４の動作）
次にバックライト制御部１１４によるバックライト１１５の点灯制御について説明する。
液晶表示装置１０１の不揮発メモリ部１０９は、バックライトの輝度値とＬＥＤ毎のＰＷＭ制御値とを関連付けるテーブルデータ（基準ＰＷＭ制御データ）を記憶している。更に不揮発メモリ部１０９は、バックライトの輝度値と輝度センサ毎の目標輝度センサ値とを関連付けるテーブルデータ（目標輝度センサ値データ）を記憶している。
【００２２】
基準ＰＷＭ制御データは、液晶表示装置１０１の工場での出荷調整時に、特定の環境温度において、表示画面内の輝度のばらつきが所定の許容レベルとなるように光源毎に決定されたＰＷＭ制御値である。基準ＰＷＭ制御データは、不図示の外部装置で測定しながらバックライトの発光面内の輝度のばらつきが小さくなるように各ＬＥＤの発光量を調整した際に最終的に各ＬＥＤに入力したＰＷＭ制御値のデータである。基準ＰＷＭ制御データは、種々のバックライト輝度について作成される。液晶表示装置１０１は、作成された基準ＰＷＭ制御データを、外部装置からデータ送受信部１０７を介してデータ送受信制御部１０８により受信し、不揮発メモリ部１０９に記憶する。
【００２３】
目標輝度センサ値データは、上述の基準ＰＷＭ制御データの作成時に作成される。特定の環境温度において、表示画面内の輝度差が最小となるようなＰＷＭ制御値で各ＬＥＤが発光している状態における各輝度センサによる検出値（輝度センサ値）を、輝度センサによる検出値の目標値である目標輝度センサ値データとする。目標輝度センサ値データは、基準ＰＷＭ制御データと同様、種々のバックライト輝度について作成される。液晶表示装置１０１は、作成された目標輝度センサ値データを、データ送受信部１０７を介してデータ送受信制御部１０８により受信し、不揮発メモリ部１０９に記憶する。
【００２４】
本実施例の液晶表示装置１０１は、基準ＰＷＭ制御データと目標輝度センサ値データを、バックライトの輝度値２０〜２００ｃｄ／ｍ２までの範囲内で２０ｃｄ／ｍ２毎に記憶している。すなわち、基準ＰＷＭ制御データは、バックライトの１０種類の輝度値の各々について、表示画面内の輝度差が最小となる（発光面内のばらつきが許容レベル以下となる）ようなＰＷＭ制御値のデータを含む。また、目標輝度センサ値データは、１０種類の輝度値の各々について、表示画面内の輝度差が最小となる（発光面内のばらつきが許容レベル以下となる）ようなＰＷＭ制御値で各ＬＥＤが発光している状態における各輝度センサの出力する輝度センサ値のデータを含む。
【００２５】
図３に基準ＰＷＭ制御データ及び目標輝度センサ値データの一例を示す。
図３（Ａ）は、液晶表示装置１０１の輝度を１００ｃｄ／ｍ２にする場合の基準ＰＷＭ制御データの一例である。
図３（Ｂ）は、液晶表示装置１０１の輝度を２００ｃｄ／ｍ２にする場合の基準ＰＷＭ制御データの一例である。
図３（Ｃ）は、液晶表示装置１０１の輝度を１００ｃｄ／ｍ２にした場合の目標輝度センサ値データの一例である。
図３（Ｄ）は、液晶表示装置１０１の輝度を２００ｃｄ／ｍ２にした場合の目標輝度センサ値データの一例である。
【００２６】
図４は、バックライト点制御開始時のバックライト制御部１１４の動作フロー例を示す。
図４のＳ５０１において、バックライト制御部１１４の発光量決定部１１７は、システム制御部１１２からの点灯制御開始要求を受け付けると、不揮発メモリ部１０９に記憶されたバックライトの輝度値情報を取得する。
【００２７】
Ｓ５０２において、発光量決定部１１７は、Ｓ５０１で取得した輝度値情報に基づき、不揮発メモリ部１０９に記憶された基準ＰＭＷ制御データを取得する。例えば、輝度値情報が「１００ｃｄ／ｍ２」の場合、発光量決定部１１７は、図３（Ａ）に示した基準ＰＷＭ制御データを取得する。輝度値情報が「２００ｃｄ／ｍ２」の場合、発光量決定部１１７は、図３（Ｂ）に示した基準ＰＷＭ制御データを取得する。また輝度値情報が「１５０ｃｄ／ｍ２」の場合、発光量決定部１１７は、図３（Ａ）と図３（Ｂ）に示した２つの基準ＰＷＭ制御データを取得する。
【００２８】
Ｓ５０３において、発光量決定部１１７は、不揮発メモリ部１０９から取得した基準ＰＷＭ制御データを参照し、ＬＥＤ毎のＰＷＭ制御値を決定する。輝度値情報が「１００ｃｄ／ｍ２」の場合、発光量決定部１１７は、図３（Ａ）の基準ＰＷＭ制御データを参照し、各ＬＥＤのＰＷＭ制御値を、ＬＥＤ（１）２０１は「１９９９」、ＬＥＤ（２）２０２は「１９８０」、ＬＥＤ（３）２０３は「１９８９」と決定する。輝度値情報が「１５０ｃｄ／ｍ２」の場合、発光量決定部１１７は、図３（Ａ）と図３（Ｂ）の２つの基準ＰＷＭ制御データを参照し、線形補完により各ＬＥＤのＰＷＭ制御値を算出する。例えばＬＥＤ（２）２０２のＰＷＭ制御値は、１９８０＋（２９７０−１９８０）／２の計算により、「２４７５」と決定される。Ｓ５０３で決定した各ＬＥＤのＰＷＭ制御値は、初期制御値である「初期ＰＷＭ制御値」としてメモリ部１１０に記憶される。
【００２９】
Ｓ５０４において、発光量決定部１１７は決定した各ＬＥＤのＰＷＭ制御値を発光量制御部１１８に送信する。発光量制御部１１８は入力されるＰＷＭ制御値に基づき、各ＬＥＤをＰＷＭ制御する。
以上の動作により、バックライト１１５は点灯を開始する。
尚、液晶表示装置の使用者により液晶表示装置の輝度の変更要求があった場合には、図４に示した動作フローとほぼ同様の処理により、当該変更後の輝度に応じたＬＥＤ毎のＰＷＭ制御値が決定される。
【００３０】
次にバックライト１１５の点灯開始後に、一定周期毎に実行されるバックライト制御部１１４の処理について説明する。この処理の実行の周期はタイマー部１１１によってカウントし、システム制御部１１２がバックライト制御部１１４に処理の実行を要求する。
【００３１】
図５は本発明のポイントとなる、バックライト点灯開始後のバックライト制御部１１４の動作フロー例を示す。図５のフローチャートで示す処理はバックライト制御部１１４によって定期的に実行される。
【００３２】
図５のＳ６０１において、発光量決定部１１７は、発光量制御部１１８からの故障検出情報に基づき、ＬＥＤに故障が発生しているか否かを判定することにより、第１の故障検知を行っている。また、発光量決定部１１７は、センサ制御部１１６からの故障検出情報に基づき、ＢＬセンサに故障が発生しているか否かを判定することにより、第２の故障検知（輝度センサ）及び第３の故障検知（温度センサ）を行っている。センサ制御部１１６から取得する故障検出情報には、ＢＬセンサの故障の有無と、故障が有る場合は、輝度センサ２０４〜２０６、温度センサ２０７〜２０９のうちどれが故障したかの情報が含まれる。また発光量制御部１１８から取得する故障検出情報には、ＬＥＤの故障の有無と、故
障がある場合は、ＬＥＤ（１）２０１、ＬＥＤ（２）２０２、ＬＥＤ（３）２０３のうちどれが故障したかの情報を含む。ＢＬセンサ及びＬＥＤのいずれかに故障が検出された場合、処理はＳ６０３に進み、いずれにも故障が検出されなかった場合、処理はＳ６０２に進む。
【００３３】
ここで図を用いて、センサ制御部１１６によるＢＬセンサの故障判定処理及び発光量制御部１１８によるＬＥＤの故障判定処理について、説明する。
図６（Ａ）はセンサ制御部１１６による輝度センサの故障有無判定の動作フロー例である。図６（Ｂ）はセンサ制御部１１６による温度センサの故障判定の動作フロー例である。図７は発光量制御部１１８によるＬＥＤの故障判定の動作フローである。
【００３４】
図６（Ａ）のＳ７０１において、センサ制御部１１６は不揮発メモリ部１０９から、輝度センサが出力し得る輝度センサ値の最大値及び最小値の情報を取得する。それら輝度センサ値の最大値及び最小値の情報は、予め決められており、工場での出荷調整時に、不揮発メモリ部１０９に記憶させている。
【００３５】
Ｓ７０２において、センサ制御部１１６はバックライト１１５点灯中に取得した輝度センサ値が、Ｓ７０１で取得した輝度センサ値の最小値から最大値までの範囲内の値であるかを判定する。範囲内である場合、センサ制御部１１６は、故障判定フローを終了する。範囲内ではない場合、センサ制御部１１６は、輝度センサが故障していると判定する（Ｓ７０３）。
センサ制御部１１６は、図６（Ａ）の動作フローを各輝度センサに対して実行する。
【００３６】
図６（Ｂ）のＳ７０４において、センサ制御部１１６は不揮発メモリ部１０９から、温度センサが出力し得る温度センサ値の最大値及び最小値の情報を取得する。それら温度センサ値の最大値及び最小値の情報は、予め決められており、工場での出荷調整時に、不揮発メモリ部１０９に記憶させている。
【００３７】
Ｓ７０５において、センサ制御部１１６はバックライト１１５点灯中に取得した温度センサ値が、Ｓ７０４で取得した温度センサ値の最小値から最大値までの範囲内の値であるかを判定する。範囲内である場合、センサ制御部１１６は、故障判定フローを終了する。範囲内ではない場合、センサ制御部１１６は、温度センサが故障していると判定する（Ｓ７０６）。
センサ制御部１１６は、図６（Ｂ）の動作フローを各温度センサに対して実行する。
【００３８】
図７のＳ８０１において、発光量制御部１１８はＬＥＤに流れる電流値を検出する。電流値の検出は、電流が流れる配線上に形成した抵抗間の電位差を検出する等、一般的な方法を用いる。
【００３９】
Ｓ８０２において、発光量制御部１１８は不揮発メモリ部１０９から、ＬＥＤに流れ得る電流値の最大値の情報を取得する。その電流値の最大値の情報は、予め決められており、工場での出荷調整時に、不揮発メモリ部１０９に記憶させている。
【００４０】
Ｓ８０３において、発光量制御部１１８はＳ８０１で検出した電流値が、Ｓ８０２で取得した電流値の最大値を超えているかを判定する。超えている場合、発光量制御部１１８は、Ｓ８０５に進みＬＥＤがショートして故障したと判断する。超えていない場合、発光量制御部１１８は、Ｓ８０４に進む。
【００４１】
Ｓ８０４において、発光量制御部１１８はＳ８０１で検出した電流値が０であるかを判定する。ここでは、発光量制御部１１８は、電流値と０との差が閾値より小さい場合に電
流値が０であると判定するものとする。電流値が０の場合、発光量制御部１１８は、Ｓ８０６に進みＬＥＤがオープンして故障したと判断する。電流値が０でない場合、発光量制御部１１８は、故障判定フローを終了する。
発光量制御部１１８は、図７の動作フローを各ＬＥＤに対して実行する。
【００４２】
以上がセンサ制御部１１６によるＢＬセンサの故障判定処理及び発光量制御部１１８によるＬＥＤの故障判定処理である。
【００４３】
図５に戻って、Ｓ６０２において、バックライト制御部１１４の発光量決定部１１７は、センサ制御部１１６から取得する輝度センサ値及び温度センサ値に基づき、ＰＷＭ制御値の補正を行なう。本補正処理は、装置内の温度分布等により生じる、バックライトの発光面内の輝度のばらつきを低減するための輝度のドリフト補正処理である。
【００４４】
図８はＳ６０２におけるＰＷＭ制御値の補正処理の動作フロー例を示す。
Ｓ９０１において、発光量決定部１１７は、センサ制御部１１６から取得した輝度センサ値を、同じく取得した温度センサ値に基づき、ＬＥＤの温度特性に基づき補正し、補正後の値である補正輝度センサ値を決定する。温度センサによる検出値とＬＥＤの温度に応じた発光特性との関係は、不揮発メモリ部１０９に記憶させておく。この補正は、目標輝度センサ値データを作成したときの上述した特定の環境温度と、温度センサにより取得される現在の温度センサ値と、におけるＬＥＤの発光特性を考慮して、現在の輝度センサ値を当該環境温度における輝度値に換算する計算を行う。
【００４５】
Ｓ９０２において、発光量決定部１１７は、不揮発メモリ部１０９から、バックライトの輝度値の情報に応じた目標輝度センサ値データを取得する。例えば、輝度値情報「１００ｃｄ／ｍ２」の場合、発光量決定部１１７は、図３（Ｃ）に示した目標輝度センサ値データを取得する。輝度値情報「２００ｃｄ／ｍ２」の場合、発光量決定部１１７は、図３（Ｄ）に示した目標輝度センサ値データを取得する。また輝度値情報「１５０ｃｄ／ｍ２」の場合、発光量決定部１１７は、図３（Ｃ）と図３（Ｄ）に示した２つの目標輝度センサ値データを取得する。
【００４６】
Ｓ９０３において、発光量決定部１１７は、不揮発メモリ部１０９から取得した目標輝度センサ値データに基づき、輝度センサ毎の目標輝度センサ値を決定する。輝度値１００ｃｄ／ｍ２の場合、発光量決定部１１７は、図３（Ｃ）の目標輝度センサ値データを参照し、目標輝度センサ値を、輝度センサ（１）２０４は「１９８０」、輝度センサ（２）２０５は「１９７５」、輝度センサ（３）２０６は「１９８４」と決定する。輝度値情報「１５０ｃｄ／ｍ２」の場合、発光量決定部１１７は、図３（Ｃ）と図３（Ｄ）の２つの基準ＰＷＭ制御データを参照し、線形補完により目標輝度センサ値を算出する。例えば輝度センサ（２）２０５の目標輝度センサ値は、１９７５＋（２９８７−１９７５）／２の計算により、「２４８１」と決定する。
【００４７】
Ｓ９０４において、発光量決定部１１７は、Ｓ９０１で求めた補正輝度センサ値とＳ９０３で決定した目標輝度センサ値の差分に基づき、発光量制御部１１８に送信するＰＷＭ制御値を決定する。発光量決定部１１７は、ここで決定したＰＷＭ制御値を「補正ＰＷＭ制御値」としてメモリ部１１０に記憶する。例えば、補正輝度センサ値が目標輝度センサ値より小さい場合、現在より明るくＬＥＤを点灯させるよう、発光量決定部１１７は、ＰＷＭ制御値を現在の値より大きくする。また補正輝度センサ値が目標輝度センサ値より大きい場合、現在より暗くＬＥＤを点灯させるよう、発光量決定部１１７は、ＰＷＭ制御値を現在の値より小さくする。
【００４８】
このように、ＬＥＤ及びＢＬセンサの故障が無い場合は、Ｓ６０２のＰＷＭ値補正処理
が繰り返し実行される。これにより、装置内部の温度変化、ＬＥＤの温度特性や発光特性のばらつき、ＬＥＤの経時変化等によるバックライト１１５の発光面内の輝度のばらつきが低減されたバックライト点灯状態が保たれる。
【００４９】
一方、図５のＳ６０３において、発光量決定部１１７は、Ｓ６０２のＰＷＭ値補正処理を行なわずに、不揮発メモリ部１０９に記憶されたバックライトの輝度値情報に基づき、初期ＰＷＭ制御値を決定する。初期ＰＷＭ制御値の決定処理は、図４で示したバックライト点制御開始時の動作フローと同様の為、説明は割愛する。
【００５０】
Ｓ６０４において、発光量決定部１１７は、センサ制御部１１６及び発光量制御部１１８からの情報に基づき、ＢＬセンサ又はＬＥＤのどちらが故障したかを判定する。ＬＥＤが故障したと判定された場合には処理はＳ６０５に進む。ＢＬセンサが故障したと判定された場合にはＳ６０６に進む。
【００５１】
Ｓ６０５において、発光量決定部１１７は、故障したＬＥＤに対応するＰＷＭ制御値をゼロ（０）とし、それ以外のＬＥＤに対応するＰＷＭ制御値をＳ６０３で決定した初期ＰＷＭ制御値としたものを、発光量制御部１１８へ送信するＰＷＭ制御値として決定する。例えば、輝度値情報「１００ｃｄ／ｍ２」で点灯中に、ＬＥＤ（２）２０２が故障した場合には、ＬＥＤ（１）２０１のＰＷＭ制御値は「１９９９」、ＬＥＤ（２）２０２のＰＷＭ制御値は「０」、ＬＥＤ（３）２０３のＰＷＭ制御値は「１９８９」、と決定する。
【００５２】
Ｓ６０６において、発光量決定部１１７は、Ｓ６０３で決定した初期ＰＷＭ制御値を、発光量制御部１１８に送信するＰＷＭ制御値として決定する。
【００５３】
Ｓ６０７において、発光量決定部１１７は、Ｓ６０５又はＳ６０６で決定したＰＷＭ制御値を発光量制御部１１８に送信し、発光量制御部１１８はＰＷＭ制御値に基づき、各ＬＥＤをＰＷＭ制御する。
【００５４】
以上の動作により、ＬＥＤの故障検出時には、故障したＬＥＤは非点灯状態となり、ＢＬセンサ故障検出時には、初期ＰＷＭ制御値に基づき、ＬＥＤは点灯を継続する。
【００５５】
ＬＥＤ又はＢＬセンサの故障が検出された場合には、Ｓ６０２で説明したような、現在の温度センサ値や輝度センサ値に基づく輝度のドリフト補正処理が行われなくなり、バックライトの輝度値に応じたデフォルトのＰＷＭ制御値（初期ＰＷＭ制御値）に固定される。すなわち、各光源のＰＷＭ制御値が固定値とされる。このため、特にＬＥＤの故障が検出された場合には、故障したＬＥＤの周辺のＬＥＤに対して、故障したＬＥＤの分の輝度を補償すべくＰＷＭ制御値を増大させるような制御は行われなくなる。従って、故障したＬＥＤの周辺のＬＥＤに過大な電流が継続的に流れることや、それによるＬＥＤや液晶表示装置の過熱、過熱保護や過電流保護機能によるバックライト消灯、といった事態によりユーザが液晶表示装置を継続使用できなくなることを回避できる。
【００５６】
このように、本実施例では、ＬＥＤ又はＢＬセンサが故障した場合、発光量制御部１１８に送信するＰＷＭ制御値を初期ＰＷＭ制御値で固定した（ＬＥＤが故障した場合は故障したＬＥＤに対応するＰＷＭ制御値は「０」とした）。
【００５７】
しかし、ＬＥＤ又はＢＬセンサが故障した場合、発光量制御部１１８に送信するＰＷＭ制御値を、故障したと判定された時点で発光量制御部１１８に送信されていたＰＷＭ制御値で固定するようにしても良い。すなわち、ＬＥＤ又はＢＬセンサが故障していると判定される直前に実行された図５のフローチャートのＳ６０２で決定されたＰＷＭ制御値（図８のフローチャートのＳ９０４で決定された補正ＰＷＭ制御値）で固定するようにしても
良い。ＬＥＤが故障した場合は、上記実施例と同様、補正ＰＷＭ制御値において故障したＬＥＤに対応するＰＷＭ制御値を「０」とし、他は故障判定の直前に求められた補正ＰＷＭ制御値で固定する。「補正ＰＷＭ制御値」とは、図５の処理を１回以上行うことによって、補正されたＰＷＭ制御値であり、不揮発メモリ部１０９に記憶されている。ＢＬセンサ及びＬＥＤのいずれかの故障が検出された際に、該故障が検出される前に不揮発メモリ部１０９に記憶されたＰＷＭ制御値を用いることができる。
【００５８】
上記実施例では、白色ＬＥＤにより構成される白色光源を用いたバックライトの場合の例について述べたが、本発明は、複数の色のＬＥＤにより構成される白色光源を用いたバックライトにも適用できる。例えば、Ｒ（赤），Ｇ（緑），Ｂ（青）の３つ色のＬＥＤを用いたバックライトの場合にも適用できる。この場合、発光量制御部１１８は、各色のＬＥＤの発光を独立に制御可能とし、また、各色のＬＥＤの故障を検知可能であるとする。
【００５９】
図９（Ａ）は、光源として赤色ＬＥＤ、緑色ＬＥＤ、及び青色ＬＥＤの組み合わせを３組備えたバックライトの初期ＰＷＭ制御値の一例を示す。初期ＰＷＭ制御値は、上記実施例と同様、バックライトの輝度値に応じて予め決められ、メモリ部１１０に記憶されている。
【００６０】
図９（Ｂ）は、ＢＬセンサの故障を検出した場合に、発光量決定部１１７が発光量制御部１１８に送信するＰＷＭ制御値を示す。図９（Ｂ）に示すように、ＢＬセンサが故障した場合、発光量決定部１１７は、メモリ部１１０に記憶した初期ＰＷＭ制御値を発光量制御部１１８に送信するＰＷＭ制御値として決定する。
【００６１】
図９（Ｃ）は、ＬＥＤ３の緑色ＬＥＤ（ＬＥＤ３（Ｇ））の故障を検出した場合に、発光量決定部１１７が発光量制御部１１８に送信するＰＷＭ制御値を示す。図９（Ｃ）に示すように、ＬＥＤ３（Ｇ）が故障した場合、発光量決定部１１７は、故障したＬＥＤ３（Ｇ）のみ「０」とし、故障した光源以外は初期ＰＷＭ制御値としたものを発光量制御部１１８に送信するＰＷＭ制御値として決定する。
【００６２】
なお、図９（Ｄ）に示すように、故障したＬＥＤとともに白色を構成する他の色のＬＥＤのＰＷＭ制御値も「０」としても良い。図９（Ｄ）の例では、故障したＬＥＤ３（Ｇ）に加えて、ＬＥＤ３の赤色ＬＥＤ及びＬＥＤ３の青色ＬＥＤのＰＷＭ制御値も「０」とされている。
【００６３】
また、１つのバックライトの発光単位が、赤色ＬＥＤ１つ、緑色ＬＥＤ２つ、青色ＬＥＤ１つで構成される場合であって、２つの緑色ＬＥＤのうちの１つのみ故障した場合、次のようにしても良い。すなわち、故障した緑色ＬＥＤのＰＷＭ制御値を「０」とし、故障していない緑色ＬＥＤのＰＷＭ制御値のＰＷＭ制御値を増加させてもよい。
【００６４】
なお、上記各実施例では、故障したＬＥＤのＰＷＭ制御値を０とする例を説明したが、本発明は故障したＬＥＤ以外のＬＥＤのＰＷＭ制御値を固定値とする点に特徴があり、故障したＬＥＤのどのようなＰＷＭ制御値を入力するかは任意であり、０に限らない。ただし、複数色のＬＥＤにより白色光源を構成している場合、故障したＬＥＤとともに白色光源を構成する光源すべてについてＰＷＭ制御値を０とする。これによりホワイトバランスのずれを抑制できる。また、本実施例ではＬＥＤ毎に輝度センサ及び温度センサが設けられる例を説明したが、複数のＬＥＤにつき１つの割合で輝度センサや温度センサが設けられても良い。また、輝度センサと温度センサの数は同数でなくても良い。複数のＬＥＤにつき１つの輝度センサが設けられる場合、１つのＬＥＤの故障によりそのＬＥＤに対応する輝度センサの出力は大きく低下することになり、当該輝度センサの出力に基づきフィードバック制御される他のＬＥＤのＰＷＭ制御値が大幅に増大してしまう。本発明によれば
、このような場合にも故障したＬＥＤ以外のＬＥＤについては初期ＰＷＭ制御値や故障直前の補正ＰＷＭ制御値により固定され、フィードバック制御が停止されるので、故障したＬＥＤの周辺のＬＥＤの不要な過熱等を抑制できる。
【符号の説明】
【００６５】
１１０  メモリ部
１１４  バックライト制御部
１１５  バックライト
１１６  センサ制御部
１１８  発光量制御部
【図１】
0005984398.tif 000002
【図２】
0005984398.tif 000003
【図３】
0005984398.tif 000004
【図４】
0005984398.tif 000005
【図５】
0005984398.tif 000006
【図６】
0005984398.tif 000007
【図７】
0005984398.tif 000008
【図８】
0005984398.tif 000009
【図９】
0005984398.tif 000010